(57)【要約】    【課題】光源の各動作状態間での赤外線の到達距離のバラツキを低減する。    【解決手段】  照明器具１は、光源１２と、光源１２の動作制御用の赤外線信号を受信する受光部１３と、光源を動作するための点灯回路１４と、赤外線信号に基づいて、点灯回路１４を制御して光源１２を動作する点灯制御回路１５と、光源１１の周囲に設けられ、制御電圧の印加に応じて赤外線に対応する光の透過率を可変する液晶フィルタ１６と、光源１２の動作状態に応じて制御電圧を調整して赤外線に対応する光の透過率を制御するフィルタ制御回路１７とを備える。【選択図】図１
2007265808.tif 000002
【特許請求の範囲】
【請求項１】
光源と、
前記光源の動作制御用の赤外線信号を受信する受光部と、
前記光源を動作するための点灯回路と、
前記受光部で受信された赤外線信号に基づいて、前記点灯回路を制御して前記光源を動作する点灯制御回路と、
前記光源の周囲に設けられ、制御電圧の印加に応じて赤外線に対応する光の透過率を可変する液晶フィルタと、
前記光源の動作状態に応じて前記制御電圧を調整して前記赤外線に対応する光の透過率を制御するフィルタ制御回路と
を備えることを特徴とする照明器具。
【請求項２】
前記光源の点灯時の前記制御電圧は、前記光源の消灯時のそれよりも高いことを特徴とする請求項１記載の照明器具。
【請求項３】
前記点灯回路は、前記光源の光出力を調整する調光点灯装置であり、
前記制御電圧は、前記光源の消灯、低輝度点灯及び高輝度点灯の順により高い
ことを特徴とする請求項１記載の照明器具。
【請求項４】
前記フィルタ制御回路は、前記光源の消灯時、前記制御電圧を前記液晶フィルタに印加しないことを特徴とする請求項２又は３記載の照明器具。
【請求項５】
前記光源は放電灯であり、前記点灯回路は、前記放電灯を高周波で点灯することを特徴とする請求項１から４の何れかに記載の照明器具。
【請求項６】
前記光源は白熱灯であることを特徴とする請求項１から４の何れかに記載の照明器具。
【発明の詳細な説明】
【技術分野】
【０００１】
本発明は、赤外線信号で光源の動作を制御する照明器具に関するものである。
【背景技術】
【０００２】
従来、送信器（赤外線（リモコン）リモートコントロール送信器）で制御される照明器具が市販されている。この照明器具は、光源（例えば蛍光灯）と、上記送信器から光源の動作制御用の赤外線信号を受信する受光部と、光源を動作するための点灯回路と、受光部で受信された赤外線信号に基づいて、点灯回路を制御して光源を動作する点灯制御回路とを備え、例えば天井等に設置されて使用される。この照明器具の動作において、受光部が送信器からの赤外線信号を受信すれば、点灯制御回路が、赤外線信号に含まれる制御コードに基づいて、点灯回路を制御して光源を動作（例えば、点灯、調光又は消灯）する。
【０００３】
このように光源を点灯、調光又は消灯するために、照明器具は、点灯回路として、例えばハーフブリッジインバータ等を含む調光点灯回路を備え、インバータの各スイッチ素子の駆動周波数を変化させて、光源の予熱、始動、（定格）点灯及び調光を行う。
【０００４】
そのほか、光源の調光を液晶フィルタで行う照明器具が提案されている。例えば、特許文献１記載の照明器具は、電圧のオン、オフにより光の透過量を調節できる液晶調光素子を備えた調光パネル（液晶フィルタ）を、照明用光源の周囲に配置して構成される。この照明器具の動作では、制御電圧が液晶調光素子に印加されないとき、フィルタは、不透明で光の透過量を少なくし、制御電圧が素子に印加されるとき、フィルタは、透明で光の透過量を多くする。この結果、フィルタを介した光源の光束が調整されるので、光源の調光が可能になる。
【０００５】
ところで、上記リモコン対応の照明器具が蛍光灯を高周波で点灯するとき、蛍光灯の光が受光部の赤外線信号の受信性能に外乱的影響を及ぼすことがある。即ち、送信器は、ＧａＡｓ赤外発光ダイオードを含み、９５０ｎｍ近傍に発光スペクトル（分光出力比）のピークを持つ分光特性を示し、受光部は、Ｓｉ系の受光素子に光学フィルタを組合せて構成され、約９５０ｎｍに分光感度比のピークを持つ分光特性を示す。他方、蛍光灯の光は、初期点灯時にアルゴンによる赤外領域（約９２０ｎｍ）のスペクトルを含み、特に低温雰囲気中では上記分光特性に近似するアルゴンスペクトルがより多く発生する。そのアルゴンスペクトルが赤外線信号の外乱（ノイズ）になる。
【０００６】
特許文献２記載の装置は、蛍光灯の始動後の所定時間の間、蛍光灯の点灯周波数を赤外線信号の搬送波周波数（約３０〜４０ｋＨｚ（３３、３６又は３８ｋＨｚ等））及びその所定時間後の点灯周波数よりも高くする。これにより、受光素子の電気出力から蛍光灯の点灯周波数成分（４０〜１５０ｋＨｚ）を除去することで、光学フィルタを用いることなく、低温雰囲気における点灯初期に発生する強度の大きなアルゴン発光に起因する問題を解決する。
【特許文献１】特開平５−１５９６１３号公報
【特許文献２】特開２００５−２６８１５９号公報
【発明の開示】
【発明が解決しようとする課題】
【０００７】
しかしながら、上記特許文献２記載の装置は、蛍光灯の各動作間で赤外線の到達距離にバラツキを持つ。即ち、光源の消灯時の赤外線信号の受信性能は、点灯初期及び安定点灯時のそれよりも良いため、消灯時の赤外線信号の到達距離は、点灯初期及び安定点灯時のそれよりも長くなる。その結果、消灯状態の蛍光灯をリモコンで点灯又は調光した後、蛍光灯をリモコンで操作できなくなる状況が発生し得る。このような赤外線信号の到達距離のバラツキは、リモコンの動作不安定感の原因となる。
【０００８】
また、特許文献１記載の照明器具も、蛍光灯の各動作間で赤外線の到達距離にバラツキを持つ。即ち、蛍光灯は、点灯及び調光時に定格（最大光出力）で動作するが、液晶フィルタが不透明であるときの赤外線の到達距離は、フィルタが透明であるときのそれよりも短い。
【０００９】
本発明は、上記事情に鑑みてなされたものであり、光源の各動作間での赤外線の到達距離のバラツキを低減することができる照明器具を提供することを目的とする。
【課題を解決するための手段】
【００１０】
上記課題を解決するための請求項１記載の発明の照明器具は、光源と、前記光源の動作制御用の赤外線信号を受信する受光部と、前記光源を動作するための点灯回路と、前記受光部で受信された赤外線信号に基づいて、前記点灯回路を制御して前記光源を動作する点灯制御回路と、前記光源の周囲に設けられ、制御電圧の印加に応じて赤外線に対応する光の透過率を可変する液晶フィルタと、前記光源の動作状態に応じて前記制御電圧を調整して前記赤外線に対応する光の透過率を制御するフィルタ制御回路とを備えることを特徴とする。この構成では、赤外線に対応する光の透過率が光源の動作状態に応じて制御されるので、光源の各動作間での赤外線の到達距離のバラツキを低減することができる。
【００１１】
請求項２記載の発明は、請求項１記載の照明器具において、前記光源の点灯時の前記制御電圧は、前記光源の消灯時のそれよりも高いことを特徴とする。
【００１２】
請求項３記載の発明は、請求項１記載の照明器具において、前記点灯回路は、前記光源の光出力を調整する調光点灯装置であり、前記制御電圧は、前記光源の消灯、低輝度点灯及び高輝度点灯の順により高いことを特徴とする。つまり、低輝度点灯及び高輝度点灯の場合の制御電圧は、それぞれ消灯及び低輝度点灯の場合の制御電圧よりも高い。この発明によれば、光源の各動作間での赤外線の到達距離のバラツキを高精度で低減することができる。
【００１３】
請求項４記載の発明は、請求項２又は３記載の照明器具において、前記フィルタ制御回路は、前記光源の消灯時、前記制御電圧を前記液晶フィルタに印加しないことを特徴とする。この構成によれば、光源の消灯時の消費電力を低減でき、省エネが可能である。
【００１４】
請求項５記載の発明は、請求項１から４の何れかに記載の照明器具において、前記光源は放電灯であり、前記点灯回路は、前記放電灯を高周波で点灯することを特徴とする。この構成によれば、光源の点灯時に発生するアルゴンスペクトルに起因する赤外線の到達距離のバラツキを低減することができる。
【００１５】
請求項６記載の発明は、請求項１から４の何れかに記載の照明器具において、前記光源は白熱灯であることを特徴とする。この構成では、温度放射による発光を利用した白熱灯から発生する多量の赤外スペクトルに起因する赤外線の到達距離のバラツキを低減することができる。
【発明の効果】
【００１６】
本発明によれば、光源の各動作間での赤外線の到達距離のバラツキを低減することができる。
【発明を実施するための最良の形態】
【００１７】
図１は本発明による第１実施形態の照明器具１のブロック図を示す。照明器具１は、図１及び２に示すように、送信器（赤外線リモコン送信器）１０と、照明器具本体１１とを個別に備える。
【００１８】
送信器１０は、操作キー（ボタン）を含むキー操作部を備え、キー操作部のキー操作に応じて照明器具本体１１の動作制御用のコマンドを赤外線で送信するように構成される。例えば、送信器１０は、図３に示すような分光特性を持つＧａＡｓ赤外発光ダイオードを含み、その発光ダイオードの赤外線出力（例えば約４０ｋＨｚ以下の搬送波）で各コマンドを送信する。
【００１９】
照明器具本体１１は、光源１２と、受光部１３と、点灯回路１４と、点灯制御回路１５と、液晶フィルタ１６と、フィルタ制御回路１７とで構成される。受光部１３、点灯回路１４、点灯制御回路１５及びフィルタ制御回路１７は、例えばケース又は反射板等に収納されて光源１２の後方の位置（図２の“Ａ”参照）に置かれる。
【００２０】
光源１２は、放電灯である。第１実施形態では、蛍光灯が光源１２として使用される。限定されないが、例えば２重環の蛍光灯を使用することができる。
【００２１】
受光部１３は、送信器１０から照明器具本体１１の動作制御用の赤外線信号を受信するように構成される。例えば、受光部１３は、Ｓｉ系の受光素子に光学フィルタ等を組合せて構成され、図４に示すような分光特性を持つ。また、赤外線信号の受信後、上記搬送波の周波数の信号が選択的に抽出される。なお、従来の一体型受光モジュールを受光部１３に使用してもよい。
【００２２】
点灯回路１４は、点灯制御回路１５の制御に従って、光源１２の予熱、始動、点灯及び調光を行うように構成される。例えば図５に示すように、回路１４は、直流電力を供給する直流電源（例えばＡＣ−ＤＣ変換器）１４１と、スイッチ素子（ＦＥＴ）１４３及び１４４、キャパシタ１４５、インダクタ１４６及びキャパシタ１４７で構成され、直流電力を高周波電力に変換して光源１２に供給するＤＣ−ＡＣ変換器１４２とを備える。なお、ハーフブリッジインバータ（１４３及び１４４）に限らず、変換器１４２は、フルブリッジ形、一石形、並列形又はプッシュプル形等の各種インバータを含んでもよい。
【００２３】
点灯制御回路１５は、受光部１３で受信された赤外線信号に基づいて、点灯回路１４を制御して光源１２を動作するように構成される。回路１５は、例えば松下電器産業社製のＭＮ１０１Ｃシリーズ等のマイコン（マイクロコンピュータ）を含み（図８の“１５０”参照）、メモリに格納されたプログラムに従って動作し、受光部１３で受信された赤外線信号（各コード）に基づいて、スイッチ素子１４３及び１４４のスイッチングを制御するための制御信号をそれらスイッチ素子に出力する。また、回路１５は、光源１２の動作と液晶フィルタ１６の動作とを同期するため、液晶フィルタ１６を制御するための制御機能の一部を含み、高電圧設定制御信号（オン（Ｌｏｗ）信号）、低電圧設定制御信号（オン（Ｌｏｗ）信号）及びタイミング制御信号（例えば、特定周波数（例えば１〜１００ｋＨｚ）を持つ矩形波又は正弦波等の交流信号）等の各種制御信号をフィルタ制御回路１７に出力する。
【００２４】
液晶フィルタ１６は、光源１２の周囲の前方に設けられ、フィルタ制御回路１７からの制御電圧の印加に応じて光源１２の光に含まれる赤外線に対応する透過率を可変するように構成される。例えば図６に示すように、フィルタ１６は、液晶高分子複合膜１６０と、この両面に配置される透明電極１６１及び１６２と、これら電極の表面に配置されるガラス板１６３及び１６４とを含み、図７に示すような特性を持つ。液晶高分子複合膜１６０は、赤外域の長波長光を吸収する液晶物質を透明樹脂中に分散してなる。制御電圧を電極１６１及び１６２に印加すれば、液晶高分子複合膜中の液晶物質が電界方向に配列して、長波長光を吸収しなくなる一方、そうでなければ、液晶物質の配列がランダムになり、長波長光成分が液晶物質に吸収され、長波長光の透過率が減少する。
【００２５】
フィルタ制御回路１７は、光源１２の動作状態に応じて制御電圧を調整して赤外線に対応する透過率を制御するように構成される。例えば図８に示すように、回路１７は、高電圧供給回路１７１と、低電圧供給回路１７２と、タイミング制御回路１７３とを備える。回路１７１は、例えば１５Ｖ以下の高電圧源１７ａ、トランジスタ１７ｂ及び抵抗１７ｃ及び１７ｄで構成され、マイコン１５０の出力端子＃２からの高電圧設定制御信号（オン信号）に従って、高電圧源１７ａの高電圧（例えば１２Ｖ）を液晶フィルタ１６の両電極の一方に印加する。回路１７２は、低電圧源１７ｅ、トランジスタ１７ｆ、抵抗１７ｇ及び１７ｈ及びダイオード１７ｉで構成され、マイコン１５０の出力端子＃１からの低電圧設定制御信号（オン信号）に従って、低電圧源１７ｅの低電圧（例えば５Ｖ）を液晶フィルタ１６の両電極の一方に印加する。ダイオード１７ｉは高電圧がトランジスタ１７ｆに印加するのを防止する。回路１７３は、トランジスタ１７ｊ及び抵抗１７ｋ，１７ｍ及び１７ｎで構成され、マイコン１５０の出力端子＃３からのタイミング制御信号（例えば、デューティ５０％、周波数１ｋＨｚの矩形波信号）に従って、液晶フィルタ１６の両電極の他方を接地して、高電圧又は低電圧をフィルタ１６の両電極に印加するタイミングを制御する。高電圧設定制御信号及びタイミング制御信号は、光源１２の高出力（輝度）点灯の間に、高電圧をフィルタ１６に印加するように出力される一方、低電圧設定制御信号及びタイミング制御信号は、光源１２の低出力（輝度）点灯の間に、低電圧をフィルタ１６に印加するように出力される。また、低電圧設定制御信号は、光源１２の消灯の間も出力され、液晶フィルタ１６の動作を安定させるプルアップ電圧として使用される。
【００２６】
次に図９を参照して照明器具１の動作について説明する。光源１２が消灯状態であるときに電源スイッチ（図２の“ＳＷ１”参照）がｔ１時点でオンされると、点灯制御回路１５が点灯回路１４を制御して光源１２を高出力点灯で動作し、また光源１２の高出力点灯の間、高電圧設定制御信号及びタイミング制御信号をそれぞれ高電圧供給回路１７１及びタイミング制御回路１７３に出力する。加えて、出力端子＃１がＨｉｇｈに設定される。これにより、光源１２が高出力で点灯し、液晶フィルタ１６の透過率が最大に設定され、液晶フィルタ１６の赤外線透過率が最大レベルになる。
【００２７】
光源１２を低出力点灯で動作するための赤外線信号がｔ２時点で送信器１０から送信されると、点灯制御回路１５は、その赤外線信号に基づいて、点灯回路１４を制御して光源１２を低出力点灯で動作し、また光源１２の低出力点灯の間、低電圧設定制御信号及びタイミング制御信号をそれぞれ低電圧供給回路１７２及びタイミング制御回路１７３に出力する。加えて、出力端子＃２がＨｉｇｈに設定される。これにより、光源１２が低出力で点灯し、液晶フィルタ１６の透過率が減少し、液晶フィルタ１６の赤外線透過率が中間レベル（最大レベルと最小レベルの間のレベル）になる。
【００２８】
光源１２を消灯するための赤外線信号がｔ３時点で送信器１０から送信されると、点灯制御回路１５は、その赤外線信号に基づいて、点灯回路１４を制御して光源１２を消灯し、また光源１２の消灯の間、高電圧設定制御信号及びタイミング制御信号の出力を停止する。即ち、出力端子＃２はＨｉｇｈに設定され、出力端子＃１及び＃３は、Ｌｏｗに設定される。これにより、光源１２が消灯し、液晶フィルタ１６の透過率が最小に設定され、液晶フィルタ１６の赤外線透過率が最小レベルになる。
【００２９】
光源１２を高出力点灯で動作するための赤外線信号がｔ４時点で送信器１０から送信されると、点灯制御回路１５は、その赤外線信号に基づいて、点灯回路１４を制御して光源１２を高出力点灯で動作し、また光源１２の高出力点灯の間、高電圧設定制御信号及びタイミング制御信号をそれぞれ高電圧供給回路１７１及びタイミング制御回路１７３に出力する。加えて、出力端子＃１がＨｉｇｈに設定される。これにより、光源１２が高出力で点灯し、液晶フィルタ１６の透過率が最大に設定され、液晶フィルタ１６の赤外線透過率が最大レベルになる。この後、同様の動作が繰り返される。
【００３０】
低出力で点灯する光源１２からの光ノイズ（アルゴンスペクトル等）は、消灯している光源１２からの光ノイズよりも大きいので、低出力の間の赤外線の到達距離は、消灯の間の到達距離よりも短くなる。が、低出力の間のフィルタ１６の赤外線透過率が中間レベルであり、消灯の間の赤外線透過率が最低レベルであるので、光源１２の低出力点灯及び消灯状態間での赤外線の到達距離のバラツキが低減される。
【００３１】
同様に、高出力で点灯する光源１２からの光ノイズは、消灯している光源１２からの光ノイズよりも大きいので、高出力の間の赤外線の到達距離は、消灯の間の到達距離よりも短くなる。が、高出力の間のフィルタ１６の赤外線透過率が最大レベルであり、消灯の間の赤外線透過率が最小レベルであるので、光源１２の高出力点灯及び消灯状態間での赤外線の到達距離のバラツキが低減される。
【００３２】
従って、第１実施形態によれば、図１０に示すように、光源１２の高出力点灯、低出力点灯及び消灯状態間での赤外線の到達距離のバラツキを低減することができる。
【００３３】
図１１は本発明による第２実施形態の照明器具２のブロック図を示す。照明器具２は、図１１〜１３に示すように、壁面に取り付けられて使用されるブラケット型照明器具であり、送信器２０と、照明器具本体２１とを個別に備える。
【００３４】
送信器２０は、防犯モード設定用の操作キーを更に含み、操作キーの操作に応じて、照明器具本体２１を防犯モード（威嚇モード）又はセンサモード（自動常夜灯モード）に設定するためのコードを含む赤外線信号を送信するように構成される点で、第１実施形態の送信器１０と相違する。
【００３５】
照明器具本体２１は、受光部２３と、点灯回路２４と、液晶フィルタ２６と、フィルタ制御回路２７とを第１実施形態のそれらと同様に備え、第２実施形態の特徴として、口金に取り付けられる白熱電球である光源２２と、出力自動制御用のセンサ回路２８と、出力自動制御機能を更に搭載する点灯制御回路２５とを備える。光源２２は、例えばアクリル製のグローブで覆われる液晶フィルタ２６の後方に配置される。
【００３６】
センサ回路２８は、照明器具本体２１の周囲の検出エリアにおける人の存在又は不在を検出するための人体センサ２８１と、周囲の照度を検出するための照度センサ２８２とを含み、これらセンサの出力信号を点灯制御回路２５に出力するように構成される。回路２８は、例えば照明器具本体２１の下部のポリエチレン製レンズ２８０内に配置される。
【００３７】
点灯制御回路（マイコン）２５は、例えば送信器２０からの赤外線信号で防犯（威嚇）モード又はセンサモードに設定されたとき、センサ回路２８からの両出力信号に基づいて光源２２の光出力を自動で調整する点で、第１実施形態の点灯制御回路１５と相違する。即ち、防犯（威嚇）モードの場合、回路２５は、人体センサ２８１の出力信号から人の存在を示す検出結果を得たとき、特定期間（威嚇期間）の間、点灯回路２４を制御して光源２２を特定周期及び高出力（輝度）でフラッシング(flashing)すると同時に、高電圧設定制御信号及びタイミング制御信号をそれぞれフィルタ制御回路２７の高電圧供給回路及びタイミング制御回路に出力する。威嚇期間は、人の存在を示す検出結果が得られる度に更新される。特定周期は、例えば、０．５秒に設定され、デューティは５０％に設定される。
【００３８】
センサモードの場合、回路２５は、照度センサ２８２の出力信号から周囲照度が基準照度より低い検出結果を得たとき、点灯回路２４を制御して光源２２を低出力（輝度）で点灯すると同時に、低電圧設定制御信号及びタイミング制御信号をそれぞれ高電圧供給回路及びタイミング制御回路に出力する。加えて、回路２５は、人体センサ２８１の出力信号から人の存在を示す検出結果を得たとき、特定の保持期間の間、点灯回路２４を制御して光源２２を高出力で点灯すると同時に、高電圧設定制御信号及びタイミング制御信号をそれぞれ高電圧供給回路及びタイミング制御回路に出力する。保持期間は、人の存在を示す検出結果が得られる度に更新される。
【００３９】
次に図１４を参照して照明器具２の動作について説明する。動作モードが送信器２０で防犯（威嚇）モードに切り替えられると、照明器具本体２１は威嚇モードで動作する。続いて、人体センサ２８１の出力信号から人の存在を示す検出結果が得られると（ｔ１）、点灯制御回路２５は、威嚇期間Ｔの間、点灯回路２４を制御して光源２２を特定周期及び高出力でフラッシングする。また、回路２５は、高電圧設定制御信号及びタイミング制御信号をそれぞれ高電圧供給回路及びタイミング制御回路に出力する。これにより、光源２２がフラッシングし、液晶フィルタ２６の赤外線透過率が最大レベルになる。
【００４０】
期間Ｔが経過すると（ｔ２）、点灯制御回路２５は、点灯回路２４を制御して光源２２を消灯すると同時に、低電圧設定制御信号を低電圧供給回路に出力する。これにより、光源２２が消灯し、液晶フィルタ２６の赤外線透過率が最小レベルになる。
【００４１】
このように、光源２２のフラッシング及び消灯の状態に応じて、赤外線透過率が、それぞれ最大レベル及び最小レベルに変化するので、高出力点灯（フラッシング）及び消灯の状態間での赤外線の到達距離のバラツキを低減することができる。
【００４２】
続いて、防犯（威嚇）モードが送信器２０でセンサ（自動常夜灯）モードに切り替えられると（ｔ３）、照明器具本体２１は、自動常夜灯モードで動作する。図１４の例では、周囲照度が時点ｔ３で基準照度より低いので、照度センサ２８２の出力信号から周囲照度が基準照度より低い検出結果が得られる結果、点灯制御回路２５は、点灯回路２４を制御して光源２２を低出力で点灯する。また、回路２５は、低電圧設定制御信号及びタイミング制御信号をそれぞれ低電圧供給回路及びタイミング制御回路に出力する。これにより、光源２２は、低出力で点灯する一方、液晶フィルタ２６の赤外線透過率が中間レベルになる。
【００４３】
人体センサ２８１の出力信号から人の存在を示す検出結果が得られると（ｔ４）、点灯制御回路２５は、保持期間の間、点灯回路２４を制御して光源２２を高出力で点灯する。また、回路２５は、保持期間の間、高電圧設定制御信号及びタイミング制御信号をそれぞれ高電圧供給回路及びタイミング制御回路に出力する。これにより、保持期間の間、光源２２が高出力で点灯し、液晶フィルタ２６の赤外線透過率が最大レベルになる。
【００４４】
続いて、照度センサ２８２の出力信号から周囲照度が基準照度より高い検出結果が得られると、点灯制御回路２５は、点灯回路２４を制御して光源２２を消灯すると同時に、低電圧設定制御信号を低電圧供給回路に出力する。これにより、光源２２が消灯し、液晶フィルタ２６の赤外線透過率が最小レベルになる。
【００４５】
このように、光源２２の高出力点灯、低出力点灯及び消灯の状態に応じて、赤外線透過率が、それぞれ最大レベル、中間レベル及び最小レベルに変化するので、高出力点灯、低出力点灯及び消灯状態間での赤外線の到達距離のバラツキを低減することができる。
【図面の簡単な説明】
【００４６】
【図１】本発明による第１実施形態の照明器具のブロック図である。
【図２】図１の照明器具の概要外観図である。
【図３】図１の照明器具に含まれる送信器の送信信号の特性図である。
【図４】図１の照明器具における受光部の分光特性図である。
【図５】図１の照明器具における点灯回路の回路図である。
【図６】図１の照明器具における液晶フィルタの断面図である。
【図７】図６の液晶フィルタの特性図である。
【図８】図１の照明器具におけるフィルタ制御回路の回路図である。
【図９】図１の照明器具の動作説明図である。
【図１０】図１の照明器具の効果を示す図である。
【図１１】本発明による第２実施形態の照明器具のブロック図である。
【図１２】図１１の照明器具の斜視図である。
【図１３】図１１の照明器具の側面図である。
【図１４】図１１の照明器具の動作説明図である。
【符号の説明】
【００４７】
１，２  照明器具
１０，２０  送信器
１１，２１  照明器具本体
１２，２２  光源
１３，２３  受光部
１４，２４  点灯回路
１５，２５  点灯制御回路
１６，２６  液晶フィルタ
１７，２７  フィルタ制御回路
２８  センサ回路
【図１】
2007265808.tif 000003
【図２】
2007265808.tif 000004
【図３】
2007265808.tif 000005
【図４】
2007265808.tif 000006
【図５】
2007265808.tif 000007
【図６】
2007265808.tif 000008
【図７】
2007265808.tif 000009
【図８】
2007265808.tif 000010
【図９】
2007265808.tif 000011
【図１０】
2007265808.tif 000012
【図１１】
2007265808.tif 000013
【図１２】
2007265808.tif 000014
【図１３】
2007265808.tif 000015
【図１４】
2007265808.tif 000016